(57)【要約】【課題】テーマパーク等で友人等の複数人同士で画像データの交換を容易に行う。【解決手段】客Ａと友人Ｂが借りた無線ＬＡＮカード３，３０に個人情報とＩＰアドレスを登録する。客Ａのデジタルカメラ４を画像送信モードに切り換え、友人Ｂを選択してから画像を選択すると、メモリカードから該当する画像データが読み出され、無線ＬＡＮカード３から客Ａと友人ＢのＩＰアドレスをプロトコルヘッダとしてパケット送信される。ＬＡＮ８を経由してパケットを受け取ったサーバ９はデータストレージのＩＰアドレスと照合して客Ａから友人Ｂに宛てたデータであることを確認し、無線ＬＡＮカード３０へデータ受取に関する問い合わせ信号を送る。デジタルカメラ３２の液晶ディスプレイにメッセージが表示され、友人Ｂが実行キーを操作すると、サーバ９から画像データが無線ＬＡＮカード３０に送られ、デジタルカメラ３２のメモリカードに格納される。【選択図】        図１
2004228966.tif 000002
【特許請求の範囲】
【請求項１】
所定のエリア内で使用され、撮影対象からの光を画像データに変換して記憶部に記憶する複数個のデジタルカメラと、各デジタルカメラに電気的に接続される無線通信手段と、この無線通信手段の各々に設けられ、少なくともデータを送受信する相手及び自身の識別番号を記憶する記憶手段と、各無線通信手段の間をワイヤレスで接続する通信ネットワークとから構成され、前記デジタルカメラを操作してデータを送信する相手の識別番号を指定することにより任意のデジタルカメラから無線通信手段及び通信ネットワークを介して他のデジタルカメラに画像データを転送することを特徴とするデジタルカメラ間の画像転送システム。
【請求項２】
前記通信ネットワークにはサーバが接続され、前記デジタルカメラが通信ネットワークに接続することにより、サーバに接続されたデータストレージやプリンタを各デジタルカメラが利用可能とすることを特徴とする請求項１記載のデジタルカメラ間の画像転送システム。
【発明の詳細な説明】
【０００１】
【発明の属する技術分野】
本発明は、デジタルカメラ間の画像転送システムに関し、更に詳しくは友人等の複数人同士で画像データの交換を容易に行えるデジタルカメラ間の画像転送システムに関するものである。
【０００２】
【従来の技術】
テーマパークのような広い敷地内に通信機能付きのデジタルカメラを多数設置し、これらのデジタルカメラを用いて客が撮影を行うと、その撮影された画像データが敷地内に設置された通信網を介してサーバの画像メモリに蓄積され、客の注文に応じてプリント写真作成や媒体出力を行い、客が敷地から出る際等に客にプリント写真等を渡すようにした画像提供システムが知られている（特許文献１参照）。また、敷地内にデジタルカメラを設置（固定）するのではなく、撮影した画像データを無線により送信可能なデジタルカメラを客に貸与して自由に移動しながら撮影してもらい、同様のサービスを行う写真サービスシステムも知られている（特許文献２参照）。
【０００３】
【特許文献１】
特開２００１−１７７７５０
【特許文献２】
特開２００１−１９７４０７
【０００４】
【発明が解決しようとする課題】
ところで、テーマパークには、家族や友人同士で入場するケースが多く、互いの姿をそれぞれのカメラで撮影し合う場面も多い。特に、友人同士のグループの場合、テーマパークから退場した後は別れ別れになるから、テーマパーク内で互いに撮影した画像データを交換したいという希望が多い。ところが、上述したような特許文献１，２記載のシステムでは、友人等の複数人同士で画像データを交換し合う状況について考慮していない。
【０００５】
本発明はこのような課題を解決するためになされたもので、友人等の複数人同士で画像データの交換を容易に行えるデジタルカメラ間の画像転送システムを提供するものである。
【０００６】
【課題を解決するための手段】
本発明のデジタルカメラ間の画像転送システムは、所定のエリア内で使用され、撮影対象からの光を画像データに変換して記憶部に記憶する複数個のデジタルカメラと、各デジタルカメラに電気的に接続される無線通信手段と、この無線通信手段の各々に設けられ、少なくともデータを送受信する相手及び自身の識別番号を記憶する記憶手段と、各無線通信手段の間をワイヤレスで接続する通信ネットワークとから構成され、前記デジタルカメラを操作してデータを送信する相手の識別番号を指定することにより任意のデジタルカメラから無線通信手段及び通信ネットワークを介して他のデジタルカメラに画像データを転送するものである。また、前記通信ネットワークにはサーバが接続され、前記デジタルカメラが通信ネットワークに接続することにより、サーバに接続されたデータストレージやプリンタを各デジタルカメラが利用可能とするものである。
【０００７】
【発明の実施の形態】
本発明の画像転送システムを適用したテーマパークを概略的に示す図１において、テーマパーク１の出入口１ａの脇には、客に入場券を販売するとともに、無線ＬＡＮカード３やデジタルカメラ４をレンタルするサービスセンター５が設けられている。無線ＬＡＮカード３は、原則としてサービスセンター５で用意しているレンタル用のデジタルカメラ４に装着して使用されるが、無線ＬＡＮカード３に対応したデジタルカメラであれば、客が持参したものでも使用可能である。
【０００８】
テーマパーク１の敷地内には、無線ＬＡＮカード３と無線で送受信する多数の通信基地局（ベースステーション）７が設置されており、これらはＬＡＮ（ローカルエリアネットワーク）８を介してサーバ９に繋がっている。このサーバ９には、画像データからプリント写真を出力するプリンタ１０が接続されている。通信基地局７とＬＡＮ８との間、ＬＡＮ８とサーバ９との間は、イーサネット（登録商標）ケーブル１１によって接続されている。なお、無線ＬＡＮカード３と通信基地局７との通信可能距離は、見通し半径２５ｍ以内である。このため、通信基地局７は、無線ＬＡＮカード３との通信がテーマパーク１のほぼ全敷地内で行える数だけ設置されている。
【０００９】
デジタルカメラ４，通信基地局７及びサーバ９には、それぞれに通信ソフトがインストールされ、各間のデータ通信が制御される。この通信ソフトとしては、例えば、ＬＡＮの通信プロトコルとして普及しているＴＣＰ／ＩＰ（Ｔｒａｎｓｍｉｓｓｉｏｎ  Ｃｏｎｔｒｏｌ  Ｐｒｏｔｏｃｏｌ  ／Ｉｎｔｅｒｎｅｔ  Ｐｒｏｔｏｃｏｌ  ）規格に対応したソフトが使用される。また、無線ＬＡＮ規格としては、例えば、ＩＥＥＥ８０２．１１規格や、Ｂｌｕｅｔｏｏｔｈ規格を使用しており、無線伝送媒体としては、これらの規格で規定されている２．４ＧＨｚの周波数帯の電波（マイクロ波）が使用される。
【００１０】
図２において、デジタルカメラ４は、撮影部１２，画像処理部１３，バッファメモリ１４，データ圧縮部１５，メモリカード１６，シャッタボタン１７，操作パネル１８，液晶ディスプレイ１９，ＵＳＢポート２０，コントローラ２１から構成されている。コントローラ２１は、デジタルカメラ４の各部を制御するマイクロコンピュータからなる。コントローラ２１内には、メモリ２１ａが設けられている。このメモリ２１ａには、各部を制御するためのプログラムや、各種処理の際に発生する一時的なデータ等が記憶される。
【００１１】
撮影部１２は、撮影レンズとカラーイメージエリアセンサ等から構成されている。シャッタボタン１７の押下により、カラーイメージエリアセンサで被写体画像を光電変換して、アナログの画像信号が発生する。画像処理部１３は、撮影部１２で生成された画像信号にガンマ変換や周知の画像処理を行ない、これをＡ／Ｄ変換してＲＧＢの画像データにし、バッファメモリ１４に記憶する。バッファメモリ１４は、複数のフレームメモリから構成されており、一つのフレームメモリでデータ圧縮処理等を行っているときに、別のフレームメモリに画像処理部１３から送信された画像データが書き込めるようになっている。
【００１２】
データ圧縮部１５は、バッファメモリ１４のフレームメモリから１フレーム分の画像データを読みだして、例えば、ＪＰＥＧ（Ｊｏｉｎｔ  Ｐｈｏｔｇｒａｐｈｉｃ  Ｅｘｐｅｒｔｓ    Ｇｒｏｕｐ）形式の画像データに変換，圧縮する。また、画像を一覧表示する際に使用するサイズの小さなサムネイル画像データも同時に作成する。なお、データ圧縮方式はＪＰＥＧに限定されることなく、他の周知の圧縮方式を用いてもよい。
【００１３】
ＵＳＢポート２０には、無線ＬＡＮカード３が着脱自在に装着される。この無線ＬＡＮカード３は、図３に示すように、ＵＳＢポート２０に接続されるＵＳＢコネクタ２５，ＬＡＮコントローラ２６，フラッシュメモリ２８及び電波送受信部２９からなる。
【００１４】
ＬＡＮコントローラ２６は、デジタルカメラ４から引き渡された画像データ等のデータを電波送受信部２８から送信する際に一時的にバッファリングするための通信バッファや、通信を制御するメディアアクセスコントローラ等からなる。また、ＬＡＮコントローラ２６は、通信プロトコルに応じて、ネゴシエーション等を行う。
【００１５】
前記ネゴシエーションは、通信を行う相互間で、通信プロトコルで予め規定されたコマンドをやりとりすることにより、その無線伝送路の通信品質を検出し、その結果に基づいてデータを通信する速度等の折衝を行う機能である。例えば、このネゴシエーションが行われると、通信基地局７に近い場所では通信品質が良いから通信速度が高速に設定され、通信基地局７から離れた場所では通信品質が悪いから低速に設定される。このネゴシエーションによって検出された通信品質は、ＵＳＢコネクタ２５を介してデジタルカメラ４に通知される。
【００１６】
このネゴシエーションは、無線ＬＡＮカード３付きのデジタルカメラ４が通信基地局７の通信エリア内に入ったときに行われる。電波を受けるとネゴシエーションを開始して、無線伝送路が確立される。
【００１７】
電波送受信部２９は、アンテナと変復調回路などからなる。変復調回路は、ＬＡＮコントローラ２６から受け取った符号化されたデータを、無線伝送路の規格に合った信号に変調したり、逆に受信信号を復調する。
【００１８】
フラッシュメモリ２８は、無線ＬＡＮカード３のレンタル時に客Ａの個人情報を記憶する。この個人情報は、本実施形態では、客Ａの名前Ａａと生年月日Ａｂであり、サービスセンター５の係員が客Ａから聞いてパーソナルコンピュータを操作することにより、パーソナルコンピュータのＵＳＢコネクタに接続した無線ＬＡＮカード３のフラッシュメモリ２８に記憶される。
【００１９】
客Ａの個人情報がフラッシュメモリ２８に記憶されると、無線ＬＡＮカードとその借り主の個人情報との組み合わせに対して一対一に対応するプライベートＩＰアドレスが割り振られる。このプライベートＩＰアドレスは、ＬＡＮ８内でのみ有効なＩＰアドレスであり、例えば、無線ＬＡＮカード３に入力された客Ａの個人情報に対しては、無線ＬＡＮカード３に固有のＩＤ番号ＬＮ００１と客Ａに固有のＩＤ番号００Ａとの組み合わせで構成されるプライベートＩＰアドレス「ＬＮ００１００Ａ」が割り振られる。なお、前記ＩＤ番号及びプライベートＩＰアドレスは、説明の便宜上簡略化しているが、実際のプライベートＩＰアドレスは３２ビットであるから、上記のような簡単なものではない。
【００２０】
客Ａが友人Ｂ，Ｃを伴っており、客Ａが撮影した画像データを友人Ｂ，Ｃと交換したい場合には、友人Ｂ，Ｃもサービスセンター５からそれぞれ自分用の無線ＬＡＮカード３０，３１とデジタルカメラ３２，３３を借り、自身の個人情報を無線ＬＡＮカード３のフラッシュメモリ２８に記憶する。これにより、友人Ｂが借りた無線ＬＡＮカード３０に登録された友人Ｂの個人情報には、プライベートＩＰアドレス「ＬＮ００２００Ｂ」が割り振られる。また、友人Ｃが借りた無線ＬＡＮカード３１に登録された友人Ｃの個人情報には、プライベートＩＰアドレス「ＬＮ００３００Ｃ」が割り振られる。
【００２１】
そして、係員は、客Ａが借りた無線ＬＡＮカード４のフラッシュメモリ２８に、友人Ｂ，Ｃのそれぞれの個人情報（名前Ｂａと生年月日Ｂｂ，名前Ｃａと生年月日Ｃｂ）と、プライベートＩＰアドレス「ＬＮ００２００Ｂ」，「ＬＮ００３００Ｃ」とを登録する。同様に、友人Ｂが借りた無線ＬＡＮカード３０には、客Ａと友人Ｃの個人情報と、それぞれのプライベートＩＰアドレス「ＬＮ００１００Ａ」，「ＬＮ００３００Ｃ」を登録する。また、友人Ｃが借りた無線ＬＡＮカード３１には、客Ａと友人Ｂの個人情報と、それぞれのプライベートＩＰアドレス「ＬＮ００１００Ａ」，「ＬＮ００２００Ｂ」を登録する。
【００２２】
また、無線ＬＡＮカード３のフラッシュメモリ２８に記憶された各個人情報は、無線ＬＡＮカード３を装着したデジタルカメラ４の液晶ディスプレイ１９に表示することができ、デジタルカメラ４の操作により削除，追加，書換を行うことができる。これにより、テーマパーク１内で客Ａが偶然に出会った別の友人や、新たに知り合いになった人と画像データを交換したい場合には、その友人や知人の個人情報をデジタルカメラ４を操作して無線ＬＡＮカード３のフラッシュメモリ２８に登録することができる。また、無線ＬＡＮカード３０，３１についても同様である。
【００２３】
サーバ９は、データ通信部３５、データストレージ３６、システムコントローラ３７から構成されている。データ通信部３５は、イーサネット（登録商標）ケーブル１１によってＬＡＮ８に接続されており、このＬＡＮ８にイーサネット（登録商標）ケーブル１１によって接続された多数の通信基地局７からデータを受信する。データ通信部３５によって受信された画像データは、システムコントローラ３７によってデータストレージ３６に記憶される。データストレージ３６には、ハードディスク等の大容量の記憶メディアが用いられる。また、データストレージ３６には、全ての無線ＬＡＮカードに入力されたプライベートＩＰアドレスが記憶される。
【００２４】
プリンタ１０は、システムコントローラ４０，メモリ４１，写真プリンタ部４２，伝票プリンタ部４３及びソータ４４からなる。サーバ９のシステムコントローラ３７は、デジタルカメラ４からプリント注文ファイルと画像データとを受信すると、これをプリンタ１０のシステムコントローラ４０に転送する。システムコントローラ４０は、プリント注文ファイルと画像データとをメモリ４１に記憶するとともに、プリント注文ファイルの内容に応じて写真プリンタ部４２，伝票プリンタ部４３，ソータ４４を制御する。
【００２５】
写真プリンタ部４２は、プリント注文ファイルに応じて、メモリ４１に記憶されている画像データのプリントを実行する。伝票プリンタ部４３は、プリント注文ファイルの内容に応じて、プリントサービスにかかった料金が記載された伝票をプリントする。プリント写真と伝票は、ソータ４４で注文毎にまとめられてプリント収納袋等に収納される。プリントの注文をした客Ａや友人Ｂ，Ｃは、帰りにサービスセンター５に寄ってプリント写真を受け取る。
【００２６】
なお、写真プリンタ部４２としては、銀塩写真方式レーザプリンタや、インクジェットプリンタ等が用いられるが、この他のサーマル方式によるカラー感熱プリンタや、トナー方式のレザープリンタなどを用いてもよく、またはこれら方式の異なるプリンタを複数用いたり、プリントサイズに応じて複数設けてもよい。
【００２７】
このように構成された本実施形態の作用を図４に示すフローチャートを参照して説明する。客Ａとその友人Ｂ，Ｃは、テーマパーク１の出入口１ａのサービスセンター５でそれぞれ無線ＬＡＮカード３付きのデジタルカメラ４，無線ＬＡＮカード３０付きのデジタルカメラ３２，無線ＬＡＮカード３１付きのデジタルカメラ３３を所定の使用料を支払って借りる。各自は、自身及び友人の名前及び生年月日をサービスセンター５の係員に告げて、それぞれの無線ＬＡＮカード３，３０，３１に各人の個人情報とプライベートＩＰアドレスとを登録してもらう。
【００２８】
客Ａ及び友人Ｂ，Ｃは、テーマパーク１内に入り、各自のデジタルカメラ４，３２，３３を用いて自由に撮影を楽しむ。お互いに相手を撮影した後等、自分が借りたデジタルカメラに記憶されている画像データを相手のデジタルカメラに転送したい場合には、自分が借りたデジタルカメラを画像送信モードに切り換える。
【００２９】
例えば、客Ａがデジタルカメラ４を画像送信モードに切り換えると、友人Ｂ，Ｃの名前がデジタルカメラ４の液晶ディスプレイ１９に表示される。操作パネル１８のキーを操作し、画像データの送信相手として友人Ｂを選択すると、液晶ディスプレイ１９の画面が切り換わり、メモリカード１６に記憶されている撮影画像のサムネイル画像が液晶ディスプレイ１９に表示される。
【００３０】
液晶ディスプレイ１９には、６コマ分のサムネイル画像が表示されるから、他のコマを確認したい場合には、操作パネル１８のキーを操作して画面をスクロールする。送信する画像が決まったら、操作パネル１８のキーを操作してその画像を選択する。この選択操作に応答して、メモリカード１６から該当する画像データが読み出され、ＵＳＢポート２０を経由して無線ＬＡＮカード３からパケット送信される。
【００３１】
このパケット送信に際して、無線ＬＡＮカード３のＬＡＮコントローラ２６は、選択した画像データのプロトコルヘッダとして、フラッシュメモリ２８から客ＡのプライベートＩＰアドレスＬＮ００１００Ａ（送信元）と、友人ＢのプライベートＩＰアドレスＬＮ００２００Ｂ（送信先）とを読み出し、画像データとともにパケットのフォーマットに加工して電波送受信部２９に送る。
【００３２】
電波送受信部２９は、ＬＡＮコントローラ２６から受け取ったパケットを無線伝送路の規格に合った信号に変調して送信する。この電波はネゴシエーションにより通信品質が最も高い通信基地局９が受信し、ＬＡＮ８を経由してサーバ９に送られる。サーバ９は、データストレージ３６に登録されているプライベートＩＰアドレスと照合して客Ａから友人Ｂに宛てたデータであることを確認し、友人Ｂが借りている無線ＬＡＮカード３０に向けて画像データの受け取りに関する問い合わせ信号を送る。
【００３３】
サーバ９は、受け取ったデータがデータストレージ３６に登録されていないプライベートＩＰアドレスから送られてきたものである場合や、データの宛て先がデータストレージ３６に登録されていない場合には、エラー信号を客Ａ宛に返信する。
【００３４】
サーバ９からの問い合わせ信号を無線ＬＡＮカード３０が受信すると、デジタルカメラ３２の液晶ディスプレイに、例えば、「客Ａ様から画像データが送られてきていますが、受け取られますか？」というようなメッセージが表示される。友人Ｂは、画像データを受け取る場合には、デジタルカメラ３２の操作パネルにある実行キーを操作し、画像データを受け取らない場合には、キャンセルキーを操作する。
【００３５】
友人Ｂが実行キーを操作した場合には、無線ＬＡＮカード３０からサーバ９に向けて受取応諾の信号が送られるとともに、デジタルカメラ３０のＣＰＵはメモリカードに画像データのデータ量を受け入れるだけの空き容量があるか否かを確認する。メモリカードに空き容量がある場合には、サーバ９から送られてくるデータを受け取り、画像データをメモリカードに格納する。メモリカードに空き容量がない場合には、デジタルカメラ３０の液晶ディスプレイにエラー表示がなされる。
【００３６】
友人Ｂがキャンセルキーを操作した場合には、無線ＬＡＮカード３０からサーバ９に向けて受取拒否の信号が送られる。これを受け取ったサーバ９は、拒否信号を客Ａの無線ＬＡＮカード３に向けて送信する。これにより、客Ａのデジタルカメラ４の液晶ディスプレイ１９にエラー表示がなされる。なお、友人Ｂあるいは友人Ｃから客Ａに画像データを送信する場合も同様であるから説明を省略する。
【００３７】
また、客Ａが画像のプリントを注文したい場合には、図５に示すように、デジタルカメラ４をプリント注文モードに切り換える。メモリカード１６からサムネイル画像データが読み出され、液晶ディスプレイ１９に画像がサムネイル表示される。客Ａは、サムネイル画像を見ながら、プリントする画像とプリント枚数とプリントサイズ等を操作パネル１８で入力する。
【００３８】
注文ファイル作成手段としても機能するコントローラ２１は、操作パネル１８から入力された内容にしたがって注文ファイルを作成し、メモリカード１６の注文フォルダ内に記憶する。操作パネル１８によってプリント注文の送信操作がなされると、メモリカード１６から注文ファイルとこれに対応する画像データとが読み出され、無線ＬＡＮカード３によって通信基地局７及びＬＡＮ８を介してサーバ９に送信される。
【００３９】
サーバ９のシステムコントローラ３７は、無線ＬＡＮカード３から送られた注文ファイルと画像データをプリンタ１０に送る。プリンタ１０は、注文ファイルの内容に応じて、画像データに基づいて写真プリンタ部４２で所定枚数プリントする。同時に、伝票プリンタ部４３で伝票をプリントする。プリント写真と伝票は、ソーター４４によってプリント袋に収納される。客Ａは、帰りにサービスセンター５に寄ってプリント写真を受け取る。なお、郵送してもらうこともできる。
【００４０】
なお、撮影した画像データは、サービスセンター５にてサーバ９に接続したＣＤ−ＲドライブやＤＶＤ−ＲドライブによりＣＤ−ＲやＤＶＤ−Ｒに書き込み、持ち帰ることができるようにしてもよい。また、無線ＬＡＮカード及びデジタルカメラの使用料金は、テーマパークから退出する際にサービスセンターで受け取る画像データ入りのＣＤ−Ｒやプリント写真の料金と一緒に支払うようにしてもよい。
【００４１】
また、客の画像データをサーバ９のデータストレージ３６に一定期間保存しておき、客からの注文があった場合にデータストレージ３６から読み出してプリントするようにしてもよい。この場合、客のデジタルカメラからサーバ９のデータストレージ３６に画像データを保持するコマンドを送ると、サーバ９が予め個々の客に対応したフォルダ（容量は予め決められている）を用意しており、そのフォルダに画像データをフォルダの容量が許す限り記憶させることができる。また、客がデジタルカメラから削除コマンドを送れば、削除することもできる。また、客は予め登録してある友人のフォルダについては、その中身を覗くことができる。また、覗くことが許可されているフォルダ内の画像データについては、自由にダウンロードすることもできる。
【００４２】
以上説明した実施形態では、サーバを用いたが、画像データをプリントしなければ、サーバを用いることなくデジタルカメラ間で画像データの交換を行うことが可能である。この場合、少なくとも互いにデータ交換を行うデジタルカメラ同士で互いのＩＰアドレスを登録したデータベースを持っており、画像データを発信するデジタルカメラは自分（送信元）及び相手（送信先）のＩＰアドレスをヘッダとしてブロードキャストを行う。送信されてきたパケットに自分のＩＰアドレスを見つけたデジタルカメラは、送信元のＩＰアドレスを確認してから、このパケットを受け取り、そうでないデジタルカメラは受け取りを拒否する。これにより、互いに指定した相手と画像データの交換を行うことができる。
【００４３】
また、上記実施形態では、無線ＬＡＮカード３と通信基地局７との通信可能距離は、見通し半径２５ｍ以内としたが、この数値は無線ＬＡＮカードや通信基地局等の性能に起因するため、一例に過ぎないのは勿論である。また、送信する画像データを選択する際に液晶ディスプレイ１９に表示するサムネイル画像を６コマとしたが、本発明はこの数値に限定されることがないのは勿論である。また、上記実施形態では、無線ＬＡＮカードに内蔵する不揮発性メモリとして、フラッシュメモリを用いたが、本発明はこれに限定されることなく、例えば、電池でバックアップされたＲＡＭ等でもよい。また、無線ＬＡＮカードとデジタルカメラとの接続を行うインターフェイスとしてＵＳＢを用いたが、例えば、ＩＥＥＥ１３９４でもよい。
【００４４】
【発明の効果】
以上説明したように、本発明の画像転送システムによれば、所定のエリア内で使用される複数個のデジタルカメラを操作してデータを送信する相手の識別番号を指定することにより任意のデジタルカメラから無線通信手段及び通信ネットワークを介して他のデジタルカメラに画像データを転送するので、友人等の複数人同士で画像データの交換を容易に行うことができる。また、通信ネットワークにサーバを接続してデジタルカメラが通信ネットワークに接続することによりサーバに接続されたデータストレージやプリンタを各デジタルカメラが利用可能とするので、デジタルカメラ内のメモリカードの容量を超えた画像データを保存できるとともに、画像データをプリントアウトしたり、ＣＤ−Ｒ等の媒体に記録して持ち帰ることもできる。
【図面の簡単な説明】
【図１】テーマパークの一例を示す説明図である。
【図２】デジタルカメラ，サーバ及びプリンタの概略的な構成を示すブロック図である。
【図３】無線ＬＡＮカードの概略的な構成を示すブロック図である。
【図４】画像転送システムのシーケンスを示すフローチャートである。
【図５】プリント注文手順を示すフローチャートである。
【符号の説明】
１  テーマパーク
３，３０，３１  無線ＬＡＮカード
４，３２，３３  デジタルカメラ
５  サービスセンター
７  通信基地局
８  ＬＡＮ
９  サーバ
１０  プリンタ
２８  フラッシュメモリ
３６  データストレージ
【図１】
2004228966.tif 000003
【図２】
2004228966.tif 000004
【図３】
2004228966.tif 000005
【図４】
2004228966.tif 000006
【図５】
2004228966.tif 000007